(57)【要約】【課題】電流検出手段により双方向スイッチを流れる電流を検出し、あらかじめ記憶された電流値と比較することで、一方のリアクタの断線を検出してインバータ回路が動作しないようにすることで、他方のリアクタへ運転電流が集中することを防止することができる空気調和装置を提供すること。【解決手段】電流検出手段１１と、記憶手段１７と、比較手段１８を備え、双方向電流９を流れる電流が記憶手段１７に記憶された第一の電流値と第二の電流値からなる範囲を超えている場合に、インバータ回路１５を動作させないようにするので、リアクタ８ａもしくは８ｂのいずれか一方が断線した場合に、他方のリアクタへ運転電流が集中することを防止することができ、リアクタの異常発熱を防止することができる。【選択図】図１
2007151206.tif 000002
【特許請求の範囲】
【請求項１】
交流電源からの交流を全波整流する整流回路と、前記整流回路の直流出力端に接続された平滑コンデンサおよびインバータ回路と、前記交流電源と前記ブリッジ整流回路の交流入力端との間に接続されたリアクタと、前記ブリッジ整流回路の交流入力端と直流出力端との間に双方向スイッチを介して接続されたコンデンサと、前記交流電源の電圧のゼロ点を検出するゼロクロス検出手段と、前記ゼロクロス検出手段の出力に基づき前記双方向スイッチの駆動信号を生成する双方向スイッチ駆動信号生成手段と、前記双方向スイッチ駆動信号生成手段の信号に基づき前記双方向スイッチを駆動する双方向スイッチ駆動手段と、前記双方向スイッチを流れる電流を検出する電流検出手段と、第一の電流値と第二の電流値を記憶させる記憶手段と、前記電流検出手段によって検出された電流と前記記憶手段に記憶された第一の電流値および第二の電流値とを比較する比較手段を備え、前記インバータ回路を動作させる前に、前記双方向スイッチを所定の時間だけ動作させ、前記電流検出手段によって検出された電流値が前記第一の電流値から前記第二の電流値の範囲を超えている場合に、前記インバータ回路を動作させないことを特徴とする空気調和装置。
【発明の詳細な説明】
【技術分野】
【０００１】
本発明は、ブリッジ整流回路を利用した整流方式とリアクタによる力率改善回路を用いた空気調和装置に関する。
【背景技術】
【０００２】
従来の空気調和装置に搭載された電源装置として、ブリッジ整流回路にリアクタと双方向スイッチとコンデンサを組み合わせたものがある（例えば特許文献１参照）。図３は前記特許文献１に記載された従来の電源装置を示すものである。
【０００３】
図３において、４つのダイオード２〜５はブリッジ整流回路６を形成している。ブリッジ整流回路６の正の直流出力端６ｃと、負の直流出力端６ｄとの間には、平滑コンデンサ７が接続され全波整流回路を構成し、負荷１１へ直流電圧を供給している。また、交流電源１とブリッジ整流回路６の交流入力端６ａとの間にはリアクタ８ａが、ブリッジ整流回路６のもう一方の交流入力端６ｂと直流出力端６ｄとの間には、双方向スイッチ９を介してコンデンサ１０が接続されている。
【０００４】
さらに、交流電源１の電圧のゼロクロス点を検出するゼロクロス検出手段１２からの信号に基づき、双方向スイッチ駆動信号生成手段１３により駆動信号が生成され、双方向スイッチ駆動手段１４により、前記双方向スイッチ９を駆動させる。
【０００５】
以上のように構成された電源装置において、双方向スイッチ９は、交流電源１のゼロクロス点から所定の時間だけ閉動作を行い、前記平滑コンデンサ７の直流端子電圧が前記交流電源１の電圧値を上回っている期間において、コンデンサ１０の充放電を行うことで平滑コンデンサ７の直流端子電圧を昇圧させる昇圧動作を行う。
【０００６】
ここで、図４に示すように、平滑コンデンサ７の直流端にインバータ回路１５および圧縮機１６の可変負荷が接続された場合に、所望の負荷範囲における直流電圧の昇圧性能向上を図るためにリアクタ８ａと並列に同一インダクタンス値のリアクタ８ｂを並列接続して用いる場合がある。
【特許文献１】特開２００２−２２３５７１号公報
【発明の開示】
【発明が解決しようとする課題】
【０００７】
しかしながらこのような時には、片側のリアクタが断線していた場合においても前記昇圧動作には影響を及ぼさずインバータ回路の動作に問題が生じないため、リアクタ断線を検出することはできず、インバータ回路が重負荷動作となった場合に、残りのリアクタに空気調和装置の運転電流が全て流れるため、異常発熱が生じるという安全上の課題があった。
【０００８】
本発明の空気調和装置は、前記のような従来の問題を解決するものであり、複雑な構成を用いることなくリアクタの断線を検知することができるようにし、異常発熱を防止することができる空気調和装置を提供することを目的とする。
【課題を解決するための手段】
【０００９】
前記従来の課題を解決するために、本発明の空気調和装置は、双方向スイッチに流れる電流を検出する電流検出手段と、第一の電流値と第二の電流値を記憶する記憶手段を備え、前記双方向スイッチが所定の時間だけ閉動作した場合に前記双方向スイッチに流れる電
流値が前記第一の電流値と前記第二の電流値からなる範囲を超えている場合に、インバータ回路を動作させないようにしたものである。
【００１０】
本構成によって、双方向スイッチを流れる電流値からリアクタのインダクタンスを推定することが可能であり、リアクタのインダクタンスが異常に高い場合に空気調和装置の運転電流によりリアクタが異常発熱することを防止することが可能である。
【発明の効果】
【００１１】
本発明の空気調和装置は、双方向スイッチを流れる電流値からリアクタのインダクタンスを推定することにより、リアクタのインダクタンスが異常に高い場合に空気調和装置の運転電流によりリアクタが異常発熱することを防止することができる。
【発明を実施するための最良の形態】
【００１２】
以下本発明の実施の形態について、図面を参照しながら説明する。
【００１３】
（実施の形態１）
図１は、本発明における空気調和装置の構成の一実施例を示し、図２は本発明における空気調和装置の動作概念図をタイムチャートとして示したものである。図１において、図４と同じ構成要素については同じ符号を用い、説明を省略する。
【００１４】
図１において、電流検出手段１１は双方向スイッチ９を流れる電流を検出する。一方、記憶手段１７には第一の電流値と第二の電流値が記憶されており、比較手段１８によって電流検出手段１１によって検出された電流値と比較を行う。
【００１５】
空気調和装置の運転指令がなされた後、ゼロクロス検出手段１２により交流電源１の交流電圧波形のゼロクロス点が検出され、双方向スイッチ駆動信号生成手段１３によって双方向スイッチ駆動信号が生成される。ここで、図２に示すように所定の時間ｔだけ双方向スイッチ９を動作させると、コンデンサ１０には双方向スイッチ９、ダイオード３、リアクタ８ａ、８ｂを介して充電電流が流れるが、この時の電流値は、リアクタ８ａ、８ｂからなるインダクタンス値とコンデンサ１０の容量によって決定される。よって、リアクタ８ａ、８ｂが正常に接続されていれば、所定の時間ｔ経過後のコンデンサ１０電流は、図２に示すとおりＩｎｏｍとなるが、リアクタ８ａか８ｂのどちらか一方が断線している場合は、インダクタンス値は倍になるため、コンデンサ１０の電流は半分となり図２に示すＩａｂｎのようになる。
【００１６】
記憶手段１７には第一の電流値と第二の電流値が記憶されているが、ここで、第一の電流値＞Ｉｎｏｍ＞第二の電流値＞Ｉａｂｎとなるように、第一の電流値および第二の電流値が設定されており、コンデンサ１０の電流値を比較手段１８によって比較する。その結果、コンデンサ１０の電流値が第一の電流値と第二の電流値からなる範囲外である場合は、リアクタ８ａもしくはリアクタ８ｂのいずれかが断線していると判断できる。
【００１７】
図２に示すように所定の時間ｔが経過した後に、前述の判定を行い、リアクタ８ａもしくはリアクタ８ｂのいずれかが断線している場合は、インバータ回路１５の動作を行わない。これにより、リアクタ８ａもしくはリアクタ８ｂのいずれかが断線している時はインバータ回路１５は動作せず、空気調和装置の運転電流も流れないことから、断線していない他方のリアクタに運転電流が集中し、異常発熱を招くといった事態を防止することが可能になる。
【００１８】
なお、本実施の形態では、リアクタが２段並列に接続された場合としたがこの限りではなく、コンデンサ１０への充電電流からリアクタのインダクタンス値を算出するものであ
れば、リアクタ１段の場合であっても同様の効果を得ることができる。
【産業上の利用可能性】
【００１９】
以上のように、本発明の空気調和装置によれば、並列接続されたリアクタのどちらか一方が断線した場合においても、他方のリアクタに運転電流が集中することなく、リアクタの異常発熱を防止することができる。
【図面の簡単な説明】
【００２０】
【図１】本発明の空気調和装置の構成図
【図２】本発明の空気調和装置の動作を説明するタイムチャート
【図３】従来の電源装置の構成図
【図４】従来の空気調和装置の構成図
【符号の説明】
【００２１】
１  交流電源
２、３、４、５  ダイオード
６  ブリッジ整流回路
６ａ、６ｂ  ブリッジ整流回路の交流入力端
６ｃ、６ｄ  ブリッジ整流回路の直流入力端
７  平滑コンデンサ
８ａ、８ｂ  リアクタ
９  双方向スイッチ
１０  コンデンサ
１１  電流検出手段
１２  ゼロクロス検出手段
１３  双方向スイッチ駆動信号生成手段
１４  双方向スイッチ駆動手段
１５  インバータ回路
１６  圧縮機
１７  記憶手段
１８  比較手段
１９  負荷
【図１】
2007151206.tif 000003
【図２】
2007151206.tif 000004
【図３】
2007151206.tif 000005
【図４】
2007151206.tif 000006